(57)【要約】【課題】Ａ／Ｄ変換器を２つ設けることなくデジタル復調処理を正しく行うことができるようにするとともに、ＡＧＣの利得を適切に制御できるようにする。【解決手段】ミキサ４の出力信号をＡ／Ｄ変換してＤＳＰ８に入力し、その信号レベルに応じたＡＧＣ制御データＤＬを生成して、Ａ／Ｄ変換回路７への入力電圧が当該Ａ／Ｄ変換回路７のフルスケール電圧よりも小さくなるようにＬＮＡ３の利得を制御することにより、Ａ／Ｄ変換回路７のダイナミックレンジを越えるような過大レベルの信号がＡ／Ｄ変換回路７に入力されないようにする。また、ＢＰＦ１１を通過する前の広帯域信号のレベルに応じてＬＮＡ３の利得を制御するとともに、ＢＰＦ１１を通過した後の狭帯域信号のレベルに応じてＩＦアンプ１２の利得を制御することにより、希望波および妨害波の双方の信号レベルを考慮してＡＧＣの利得を全体として適切に制御できるようにする。【選択図】        図１
2007281633.tif 000002
【特許請求の範囲】
【請求項１】
受信した高周波信号を増幅する高周波増幅手段と、上記高周波増幅手段により増幅された高周波信号に対して周波数変換を行って中間周波信号を生成する周波数変換手段と、上記周波数変換手段により生成された中間周波信号に対してフィルタ処理を行うことによって狭帯域の中間周波信号を出力するフィルタ手段と、上記フィルタ手段により生成された狭帯域の中間周波信号を増幅する中間周波増幅手段と、上記中間周波増幅手段により増幅された中間周波信号を復調する復調手段とを備えた受信機において、
上記フィルタ手段によるフィルタ処理が行われる前の広帯域または中帯域の信号をアナログ−デジタル変換するＡ／Ｄ変換手段と、
上記Ａ／Ｄ変換手段より出力された上記広帯域または中帯域の信号のレベルを検出し、その検出レベルに応じて上記高周波増幅手段の利得を制御するための第１の制御データを生成して出力する第１の自動利得制御手段と、
上記フィルタ手段によるフィルタ処理以降の狭帯域の信号のレベルを検出し、その検出レベルに応じて上記中間周波増幅手段の利得を制御するための第２の制御データを生成して出力する第２の自動利得制御手段とを備え、
上記Ａ／Ｄ変換手段への入力電圧が上記Ａ／Ｄ変換手段のフルスケール電圧よりも小さくなるように、上記高周波増幅手段の利得を制御するように成されていることを特徴とする受信機。
【請求項２】
上記第１の自動利得制御手段より出力される上記第１の制御データと上記第２の自動利得制御手段より出力される上記第２の制御データとを合成する合成手段を備え、
上記合成手段により生成された制御データに基づいて上記第１の自動利得制御手段を制御するようにしたことを特徴とする請求項１に記載の受信機。
【請求項３】
受信した高周波信号を増幅する高周波増幅回路と、
上記高周波増幅回路により増幅された高周波信号に対して周波数変換を行って中間周波信号を生成する周波数変換回路と、
上記周波数変換回路により生成された中間周波信号をアナログ−デジタル変換するＡ／Ｄ変換回路と、
上記Ａ／Ｄ変換回路より出力された中間周波信号に対してデジタル信号処理を行い、上記高周波増幅回路の利得を制御するための制御データを出力するデジタル信号処理回路と、
上記デジタル信号処理回路より出力される上記制御データをデジタル−アナログ変換して制御電圧とし、上記制御電圧を上記高周波増幅回路に供給するＤ／Ａ変換回路とを備え、
上記デジタル信号処理回路は、上記Ａ／Ｄ変換回路より出力された中間周波信号に対してフィルタ処理を行うことによって狭帯域の中間周波信号を出力するフィルタ手段と、
上記フィルタ手段によりフィルタ処理された中間周波信号を増幅する中間周波増幅手段と、
上記中間周波増幅手段により増幅された中間周波信号を復調する復調手段と、
上記Ａ／Ｄ変換回路より出力された中間周波信号のレベルを検出し、その検出レベルに応じて上記高周波増幅回路の利得を制御するための第１の制御データを生成して出力する第１の自動利得制御手段と、
上記フィルタ手段によるフィルタ処理以降の信号のレベルを検出し、その検出レベルに応じて上記中間周波増幅手段の利得を制御するための第２の制御データを生成して出力する第２の自動利得制御手段とを備え、
上記第１の自動利得制御手段により出力される上記第１の制御データを上記制御データとして上記Ｄ／Ａ変換回路に供給し、
上記Ａ／Ｄ変換回路への入力電圧が上記Ａ／Ｄ変換回路のフルスケール電圧よりも小さくなるように、上記高周波増幅回路の利得を制御するように成されていることを特徴とする受信機。
【請求項４】
上記デジタル信号処理回路は、上記第１の自動利得制御手段より出力される上記第１の制御データと上記第２の自動利得制御手段より出力される上記第２の制御データとを合成して上記制御データを生成し、当該生成した制御データを上記Ｄ／Ａ変換回路に供給する合成手段を備えたことを特徴とする請求項３に記載の受信機。
【発明の詳細な説明】
【技術分野】
【０００１】
本発明は受信機に関し、特に、レベルの大きい信号が入力されたときに信号の歪みが生じるのを抑制するための自動利得制御機能を有する受信機に用いて好適なものである。
【背景技術】
【０００２】
一般に、ラジオ受信機などの無線通信装置では、受信信号の利得を調整するためにＡＧＣ（Automatic Gain Control）回路が設けられている。図３は、従来のＡＧＣ回路を含むラジオ受信機の構成を示す図である。図３に示すように、従来のラジオ受信機は、アンテナ１０１、バンドパスフィルタ１０２、ＬＮＡ（Low Noise Amplifier）１０３、周波数混合回路１０４、局部発振回路１０５、バンドパスフィルタ１０６，１０７、中間周波増幅回路（ＩＦアンプ）１０８、復調回路１０９およびＡＧＣ回路１１０，１１１を備えて構成されている。
【０００３】
バンドパスフィルタ１０２は、アンテナ１０１で受信した放送波信号のうち特定の周波数帯域における放送波信号を選択的に出力する。このバンドパスフィルタ１０２は、比較的広帯域の通過域を有し、数局〜十数局の放送波信号を通過させる。ＬＮＡ１０３は、バンドパスフィルタ１０２を通過した信号を低雑音で増幅する。ＬＮＡ１０３の利得（増幅ゲイン）は、第１のＡＧＣ回路１０９より供給される制御電圧ＶＬに応じて制御される。なお、通常はＬＮＡ１０３に対して最大ゲインを与える電圧値が設定されており、過大レベルの信号が入力されたときに、ＬＮＡ１０３の利得が下げられるようになっている。
【０００４】
ＬＮＡ１０３により増幅された信号は、周波数混合回路１０４に供給される。周波数混合回路１０４は、局部発振回路１０５と共に周波数変換回路を構成している。この周波数変換回路では、ＬＮＡ１０３から出力される高周波信号と、局部発振回路１０５から出力される局部発振信号とを周波数混合回路１０４で混合し、周波数変換を行って中間周波信号を生成して出力する。
【０００５】
周波数混合回路１０４の後段に接続されたバンドパスフィルタ１０６は、中帯域の通過域を有し、周波数混合回路１０４より出力された中間周波信号に帯域制限を行って、希望周波数を含む中帯域の中間周波信号を生成する。また、その後段のバンドパスフィルタ１０７は、狭帯域の通過域を有し、希望周波数の１局のみが含まれる狭帯域の中間周波信号を抽出するために使用される。
【０００６】
ＩＦアンプ１０８は、バンドパスフィルタ１０７より出力された希望波の中間周波信号を増幅する。ＩＦアンプ１０８の利得は、第２のＡＧＣ回路１１１より供給される制御電圧ＶＩに応じて制御される。なお、通常はＩＦアンプ１０８に対して最大ゲインを与える電圧値が設定されており、ＬＮＡ１０３の利得を下げても足りないほど過大な信号が入力されたときに、ＩＦアンプ１０８の利得が下げられるようになっている。
【０００７】
このように、ＬＮＡ１０３の利得とＩＦアンプ１０８の利得とを制御することにより、ＬＮＡ１０３からＩＦアンプ１０８までの総合の雑音指数（ＮＦ）が常に所定レベル以下となるようにされる。なお、ＬＮＡ１０３およびＩＦアンプ１０８の双方に対してＡＧＣ処理を行う構成は、例えば特許文献１にも開示されている。
【特許文献１】特開２００１−１３６４４７号公報
【０００８】
復調回路１０９は、ＩＦアンプ１０８より出力された中間周波信号をベースバンド信号に復調して出力する。第１のＡＧＣ回路１１０は、周波数混合回路１０４より出力された信号（希望波の他に妨害波も含まれる）を検波して直流成分を抽出し、これをＡＧＣ制御電圧ＶＬとしてＬＮＡ１０３に供給する。また、第２のＡＧＣ回路１１１は、ＩＦアンプ１０８より出力された信号（希望波のみとなっている）を検波して直流成分を抽出し、これをＡＧＣ制御電圧ＶＩとしてＩＦアンプ１０８に供給する。
【０００９】
ところで、上述した中間周波信号の復調処理やＡＧＣ処理をＤＳＰ（Digital Signal Processor）によってデジタル信号処理として行うように成されたものも存在する（例えば、特許文献２，３参照）。特許文献２の図３（従来技術）では、ＤＳＰを用いてＩＦアンプのＡＧＣ処理を行っている。また、特許文献３では、ＤＳＰを用いてＲＦアンプおよびＩＦアンプのＡＧＣ処理を行っている。ＡＧＣ処理をＤＳＰで行うことにより、電源電圧やＩＣプロセスなどの変動があっても、回路構成を複雑にすることなく安定したＡＧＣ処理を行うことができる。
【特許文献２】特開平１１−１３６１５３号公報
【特許文献３】特開２０００−２０９１１８号公報
【００１０】
また、上記特許文献２では、ＡＧＣ処理を用いずに、広い範囲の信号レベル変動に対応した復調処理を行えるような工夫も開示されている。具体的には、ＩＦアンプの出力信号をＡ／Ｄ変換してＤＳＰに供給するとともに、ＩＦアンプの前段にある周波数変換器の出力信号をＡ／Ｄ変換してＤＳＰに供給し、ＤＳＰが何れかのＡ／Ｄ変換出力を選んで復調処理を行うようにしている。
【００１１】
これは、Ａ／Ｄ変換器のダイナミックレンジを越える過大な信号が入力されると、Ａ／Ｄ変換器によるデジタル化が正しく行われなくなるため、ＤＳＰを用いたソフトウェアによる復調処理を正しく行うことができなくなってしまうことに鑑みて成されたものである。すなわち、Ａ／Ｄ変換器のダイナミックレンジを越える大きなレベルの受信信号の場合は、周波数変換器の出力信号をＡ／Ｄ変換してＤＳＰに供給する処理系統を選択し、受信信号のレベルが低い場合は、ＩＦアンプの出力信号をＡ／Ｄ変換してＤＳＰに供給する処理系統を選択している。
【発明の開示】
【発明が解決しようとする課題】
【００１２】
しかしながら、上記特許文献２に記載の技術では、広い範囲の信号レベル変動に対応した復調処理を行うために、ＩＦアンプを経由して第１のＡ／Ｄ変換器からＤＳＰに信号を供給するルートと、ＩＦアンプを経由せずに第２のＡ／Ｄ変換器からＤＳＰに信号を供給するルートとの２つが必要になる。そのため、ＤＳＰによる復調処理を正しく行うために、２つのＡ／Ｄ変換器が必要になるという問題があった。
【００１３】
一方、特許文献３に記載の技術では、Ａ／Ｄ変換器は１つで済むが、ＩＦフィルタを通過した後の希望波のみとなっている信号のレベルを検出してＲＦアンプとＩＦアンプの利得を制御している。ＤＳＰの演算回路によって、ＲＦＡＧＣの利得とＩＦＡＧＣの利得とをそれぞれ独立に変化させるようにはしているものの、利得制御の基準となっているのはあくまでも希望波（狭帯域）の信号レベルであって、妨害波を含む広帯域の信号レベルは考慮されていない。そのため、妨害波のレベルを考慮した利得の制御が不充分で、必ずしも適切にＡＧＣの利得が制御されないという問題があった。
【００１４】
本発明は、このような問題を解決するために成されたものであり、Ａ／Ｄ変換回路を２つ設けることなくデジタル信号処理による復調処理を正しく行うことができるようにするとともに、狭帯域の信号レベルおよび広帯域の信号レベルの双方を考慮してＡＧＣの利得を適切に制御できるようにすることを目的とする。
【課題を解決するための手段】
【００１５】
上記した課題を解決するために、本発明の受信機では、広帯域の信号をＡ／Ｄ変換してデジタル信号処理回路に入力し、当該広帯域の信号のレベルに基づいて、高周波増幅回路の利得を制御するための第１の制御データをデジタル信号処理によって生成する。この第１の制御データにより、Ａ／Ｄ変換回路への入力電圧が当該Ａ／Ｄ変換回路のフルスケール電圧よりも小さくなるようにしている。また、デジタル信号処理回路の中で狭帯域の信号を生成するとともに、当該狭帯域の信号のレベルに基づいて、デジタル信号処理回路として構成された中間周波増幅手段の利得を制御するための第２の制御データをデジタル信号処理によって生成する。
【発明の効果】
【００１６】
上記のように構成した本発明によれば、Ａ／Ｄ変換回路のダイナミックレンジを越えるような過大レベルの信号がＡ／Ｄ変換回路に入力されることがなくなるように、高周波増幅回路の利得が制御される。これにより、レベルの大きな受信信号が入力された場合に備えて別ルートの処理系統を設ける必要がなく、Ａ／Ｄ変換回路を２つ設けなくて済む。すなわち、Ａ／Ｄ変換回路を２つ設けることなく、デジタル信号処理による復調処理を正しく行うことができるようになる。
【００１７】
また、本発明によれば、広帯域の信号（希望波および妨害波の双方を含む）のレベルを検出して生成される第１の制御データと、狭帯域の信号（希望波のみ）のレベルを検出して生成される第２の制御データとの双方を用いて利得が制御されることとなる。これにより、狭帯域の信号レベルおよび広帯域の信号レベルの双方を考慮して、全体としてＡＧＣの利得を適切に制御することができるようになる。
【発明を実施するための最良の形態】
【００１８】
（第１の実施形態）
以下、本発明の一実施形態を図面に基づいて説明する。図１は、第１の実施形態によるラジオ受信機の構成例を示す図である。図１に示すように、第１の実施形態によるラジオ受信機は、アンテナ１、バンドパスフィルタ２、ＬＮＡ３、周波数混合回路４、局部発振回路５、アンチエリアシングフィルタ６、Ａ／Ｄ変換回路７、ＤＳＰ８およびＤ／Ａ変換回路９を備えて構成されている。これらの構成（アンテナ１を除く）は、例えばＣＭＯＳ（Complementary Metal Oxide Semiconductor）プロセスにより１つの半導体チップに集積されている。
【００１９】
また、ＤＳＰ８は、デジタル信号処理によって実現される機能構成として、バンドパスフィルタ１１（本発明のフィルタ手段に相当）、デジタルＩＦアンプ１２（本発明の中間周波増幅手段に相当）、復調手段１３、第１のＡＧＣ手段１４（本発明の第１の自動利得制御手段に相当）および第２のＡＧＣ手段１５（本発明の第２の自動利得制御手段に相当）を備えている。
【００２０】
バンドパスフィルタ２は、アンテナ１で受信した放送波信号のうち特定の周波数帯域における放送波信号を選択的に出力する。このバンドパスフィルタ２は、比較的広帯域の通過域を有し、数局〜十数局の放送波信号を通過させる。ＬＮＡ３は、本発明の高周波増幅回路および高周波増幅手段に相当するものであり、バンドパスフィルタ２を通過した高周波信号を低雑音で増幅する。ＬＮＡ３の利得（増幅ゲイン）は、Ｄ／Ａ変換回路９より供給される制御電圧ＶＬに応じて制御される。なお、通常はＬＮＡ３に対して最大ゲインを与える電圧値が設定されており、過大レベルの信号が入力されたときに、ＬＮＡ３の利得が下げられるようになっている。
【００２１】
ＬＮＡ３により増幅された信号は、周波数混合回路４に供給される。周波数混合回路４は、局部発振回路５と共に本発明の周波数変換回路を構成している。この周波数変換回路では、ＬＮＡ３から出力される高周波信号と、局部発振回路５から出力される局部発振信号とを周波数混合回路４で混合し、周波数変換を行って中間周波信号を生成して出力する。アンチエリアシングフィルタ６は、周波数変換によって生じたエリアシングを除去するためのものであり、例えばバンドパスフィルタまたはローパスフィルタにより構成される。このアンチエリアシングフィルタ６は必須の構成ではないが、あった方が好ましい。
【００２２】
Ａ／Ｄ変換回路７は、アンチエリアシングフィルタ６より出力された中間周波信号をアナログ−デジタル変換する。このようにしてデジタルデータとされた中間周波信号は、ＤＳＰ８に入力される。ＤＳＰ８内のバンドパスフィルタ１１は、Ａ／Ｄ変換回路７より供給された中間周波信号に対してフィルタ処理を行う。このバンドパスフィルタ１１は、狭帯域の通過域を有するものである。このバンドパスフィルタ１１によって、希望周波数の１局のみが含まれる狭帯域の（希望波の）中間周波信号が抽出される。
【００２３】
デジタルＩＦアンプ１２は、バンドパスフィルタ１１より出力された希望波の中間周波信号を増幅する。デジタルＩＦアンプ１２の利得は、第２のＡＧＣ手段１５より供給される制御データＤＩに応じて制御される。なお、通常はデジタルＩＦアンプ１２に対して最大ゲインを与える制御値が設定されており、ＬＮＡ３の利得を下げても足りないほど過大な信号が入力されたときに、デジタルＩＦアンプ１２の利得が下げられるようになっている。復調手段１３は、デジタルＩＦアンプ１２より出力された中間周波信号をベースバンド信号に復調して出力する。
【００２４】
第１のＡＧＣ手段１４は、Ａ／Ｄ変換回路７より出力された中間周波信号（希望波の他に妨害波も含まれる）のレベルを検出し、その検出レベルに応じてＬＮＡ３の利得を制御するための第１の制御データＤＬを生成する。Ｄ／Ａ変換回路８は、制御データＤＬをデジタル−アナログ変換して制御電圧ＶＬとし、これをＬＮＡ３に供給する。ここで、第１のＡＧＣ手段１４は、Ａ／Ｄ変換回路７への入力電圧が当該Ａ／Ｄ変換回路７のフルスケール電圧よりも小さくなるように、ＬＮＡ３の利得を制御するように成されている。
【００２５】
なお、第１のＡＧＣ手段１４を用いたＡＧＣ処理の応答性能を良くするために、分解能（ビット精度）が良好なＡ／Ｄ変換回路７を用いるとともに、時定数が小さい第１のＡＧＣ手段１４を用いるのが好ましい。本実施形態では第１のＡＧＣ手段１４をデジタル信号処理によって実現しているので、時定数を充分に小さくすることが可能である。また、Ａ／Ｄ変換回路７のビット精度は１０ビットより大きければ実用化に耐え得るが、余裕をとるために１２〜１４ビット精度とするのが好ましい。
【００２６】
また、第２のＡＧＣ手段１５は、デジタルＩＦアンプ１２より出力された中間周波信号（希望波のみとなっている）のレベルを検出し、その検出レベルに応じてデジタルＩＦアンプ１２の利得を制御するための第２の制御データＤＩを生成してデジタルＩＦアンプ１２に供給する。なお、ここではデジタルＩＦアンプ１２の出力信号のレベルを検出しているが、これはＦＭ放送の受信の場合に有効である。ＡＭ放送の受信の場合には、復調手段１３の出力信号のレベルを検出するようにしても良い。
【００２７】
以上のように、第１の実施形態では、周波数変換回路により生成された中間周波信号をＡ／Ｄ変換回路７によりＡ／Ｄ変換してＤＳＰ８に入力する。そして、ＬＮＡ３の利得を制御するための制御データＤＬをデジタル信号処理によって生成し、この制御データＤＬをＤ／Ａ変換してＬＮＡ３に供給することにより、Ａ／Ｄ変換回路７への入力電圧が当該Ａ／Ｄ変換回路７のフルスケール電圧よりも小さくなるように制御している。
【００２８】
これにより、Ａ／Ｄ変換回路７のダイナミックレンジを越えるような過大レベルの信号がＡ／Ｄ変換回路７に入力されることがなくなる。したがって、レベルの大きな受信信号が入力された場合に備えて別の処理系統を設ける必要がないので、Ａ／Ｄ変換回路を２つ設けなくて済む。よって、Ａ／Ｄ変換回路を２つ設けることなく、Ａ／Ｄ変換回路７で正しくデジタル化された中間周波信号を用いて、デジタル信号処理によって復調処理を正しく行うことができるようになる。
【００２９】
また、本実施形態では、バンドパスフィルタ１１を通過する前の広帯域な中間周波信号のレベルに応じてＬＮＡ３の利得を制御するとともに、バンドパスフィルタ１１を通過した後の狭帯域な中間周波信号のレベルに応じてデジタルＩＦアンプ１２の利得を制御している。これにより、希望波のみが含まれる狭帯域の中間周波信号だけでなく、希望波および妨害波の双方が含まれる広帯域の中間周波信号のレベルに応じて、ＬＮＡ３の利得とデジタルＩＦアンプ１２の利得とが適切に制御される。したがって、狭帯域の信号レベルおよび広帯域の信号レベルの双方を考慮して、全体としてＡＧＣの利得を適切に制御することができるようになる。
【００３０】
また、本実施形態では、デジタルＩＦアンプ１２の機能もＤＳＰ８のデジタル信号処理によって実現しているので、アナログ回路としてＩＦアンプを設ける必要がない。これにより、チップサイズを小さくすることができるとともに、消費電流を少なくすることができる。また、アナログ回路としてＩＦアンプを設けるとそれ自身がノイズ源となり得るが、当該アナログ回路のＩＦアンプを無くすことにより、ノイズ源を減らすことができる。
【００３１】
（第２の実施形態）
次に、本発明の第２の実施形態について説明する。図２は、第２の実施形態によるラジオ受信機の構成例を示す図である。なお、この図２において、図１に示した符号と同一の符号を付したものは同一の機能を有するものであるので、ここでは重複する説明を省略する。
【００３２】
第２の実施形態では、図２に示すように、ＤＳＰ８がデジタル信号処理によって実現する機能構成として、合成手段１６を備えている。合成手段１６は、第１のＡＧＣ手段１４より出力される第１の制御データＤＬと、第２のＡＧＣ手段１５より出力される第２の制御データＤＩとを合成して制御データＤを生成し、これをＤ／Ａ変換回路９に供給する。合成の方法としては、様々な方法が適用可能である。例えば、第１の制御データＤＬと第２の制御データＤＩとを加算しても良いし、乗算しても良い。もちろん、それ以外の演算であっても良い。
【００３３】
このように、第１の制御データＤＬに対して更に第２の制御データＤＩを合成したものをＤ／Ａ変換してＬＮＡ３のＡＧＣ制御電圧ＶＬとすることにより、狭帯域の信号レベルおよび広帯域の信号レベルの双方を考慮してＬＮＡ３の利得を適切に制御することができる。例えば、希望波のレベルが小さくて妨害波のレベルがかなり大きい信号が入力された場合、広帯域の信号レベルに応じて生成した第１の制御データＤＬだけでＬＮＡ３の利得を制御すると、妨害波と一緒に希望波のレベルが下がってしまい、受信感度が悪化する。これに対し、狭帯域の信号レベルに応じて生成した第２の制御データＤＩも考慮に入れてＬＮＡ３の利得を制御することにより、必要以上にＬＮＡ３の利得が下げられることがなくなり、受信感度の悪化を抑制することができ、最適な受信が可能となる。
【００３４】
なお、上記第１および第２の実施形態では、高周波増幅回路の例としてＬＮＡ３を挙げているが、これに限定されるものではない。ＬＮＡ３に代えて、またはこれに加えて、アッテネータを用いるようにしても良い。
また、上記第１および第２の実施形態では、中帯域の通過域を有するバンドパスフィルタを用いていないが、これを用いても良い。この場合、中帯域のバンドパスフィルタは、第１のＡＧＣ手段１４よりも前側（例えば、Ａ／Ｄ変換回路７の前段または後段）に設ける。
【００３５】
また、上記第１および第２の実施形態では、周波数混合回路４、局部発振回路５、アンチエリアシングフィルタ６をＤＳＰ８の外部にアナログ回路として設ける例について説明しているが、これらもＤＳＰ８の内部でデジタル信号処理によって実現するようにしても良い。この場合、Ａ／Ｄ変換回路７は、ＬＮＡ３と周波数混合回路４との間に設ける。
【００３６】
その他、上記実施形態は、何れも本発明を実施するにあたっての具体化の一例を示したものに過ぎず、これによって本発明の技術的範囲が限定的に解釈されてはならないものである。すなわち、本発明はその精神、またはその主要な特徴から逸脱することなく、様々な形で実施することができる。
【産業上の利用可能性】
【００３７】
本発明は、レベルの大きい信号が入力されたときに信号の歪みが生じるのを抑制するための自動利得制御機能を有する受信機に有用である。例えば、ラジオ受信機、テレビ放送受信機、その他の無線通信装置に適用することが可能である。
【図面の簡単な説明】
【００３８】
【図１】第１の実施形態によるラジオ受信機の構成例を示す図である。
【図２】第２の実施形態によるラジオ受信機の構成例を示す図である。
【図３】従来のラジオ受信機の構成を示す図である。
【符号の説明】
【００３９】
３  ＬＮＡ
４  周波数混合回路
５  局部発振回路
７  Ａ／Ｄ変換回路
８  ＤＳＰ
９  Ｄ／Ａ変換回路
１１  バンドパスフィルタ
１２  デジタルＩＦアンプ
１３  復調手段
１４  第１のＡＧＣ手段
１５  第２のＡＧＣ手段
１６  合成手段
【図１】
2007281633.tif 000003
【図２】
2007281633.tif 000004
【図３】
2007281633.tif 000005